(57)【要約】【課題】保水板を備えることにより、建物などの温度上昇を抑制することができる人工芝パネルを提供することにある。【解決手段】本発明の人工芝パネルは、人工芝と、保水性を有する保水板とを備える人工芝パネルであって、保水板は、複数のチップによって構成されている。例えば、複数のチップの主原料は、木破砕物である。例えば、複数のチップは、接着剤により互いに接着されており、人工芝と複数のチップとは、接着剤により接着されている。【選択図】図１
2014234606.tif 000002
【特許請求の範囲】
【請求項１】
人工芝と、
保水性を有する保水板と
を備える人工芝パネルであって、
前記保水板は、複数のチップによって構成されている、人工芝パネル。
【請求項２】
前記人工芝は、透水性を有する、請求項１に記載の人工芝パネル。
【請求項３】
前記複数のチップの主原料は、木破砕物である、請求項１又は請求項２に記載の人工芝パネル。
【請求項４】
前記複数のチップは、接着剤により互いに接着されており、
前記人工芝と前記複数のチップとは、前記接着剤により接着されている、請求項１から請求項３のうちの１項に記載の人工芝パネル。
【請求項５】
前記接着剤は、イソシアネート系の接着剤である、請求項４に記載の人工芝パネル。
【請求項６】
凸部を有する強化板を備え、
前記凸部は前記人工芝から突出している、請求項１から請求項５のうちの１項に記載の人工芝パネル。
【発明の詳細な説明】
【技術分野】
【０００１】
本発明は、人工芝と保水性を有する保水板とを備える人工芝パネルに関する。
【背景技術】
【０００２】
近年、都市部の気温がその周辺の郊外部に比べて異常な高温を示すヒートアイランド現象が社会問題となっている。ヒートアイランド現象対策の観点から、建物の屋上や庭、駐車場などでの温度上昇抑制のために人工芝が用いられている。
【０００３】
特許文献１には、人工芝が開示されている。この人工芝には、太陽光遮断シートが設けられている。この人工芝を建物の屋上などに敷くことにより、太陽光遮断シートに太陽光を反射させ建物の屋上などの温度上昇を抑制している。また、人工芝の根部に雨水や散水した水の粒子が残る。そのため、日中の太陽熱で水分が蒸発し、建物の屋上などから熱を奪う。その結果、建物の屋上などの周囲の温度が下がり、建物の屋上などの温度上昇を抑制することができる。
【先行技術文献】
【特許文献】
【０００４】
【特許文献１】特開２００６−２７４６７４号公報
【発明の概要】
【発明が解決しようとする課題】
【０００５】
しかしながら、人工芝の根部では保水力が低いために、水分の蒸発による建物などの温度上昇の抑制効果が十分に得られないという問題があった。
【０００６】
本発明は上記課題を鑑みてなされたものであり、その目的は、保水板を備えることにより、建物などの温度上昇を抑制することができる人工芝パネルを提供することにある。
【課題を解決するための手段】
【０００７】
本発明による人工芝パネルは、人工芝と、保水性を有する保水板とを備える人工芝パネルであって、前記保水板は、複数のチップによって構成されている。
【０００８】
ある実施形態において、前記人工芝は、透水性を有する。
【０００９】
ある実施形態において、前記複数のチップの主原料は、木破砕物である。
【００１０】
ある実施形態において、前記複数のチップは、接着剤により互いに接着されており、前記人工芝と前記複数のチップとは、前記接着剤により接着されている。
【００１１】
ある実施形態において、前記接着剤は、イソシアネート系の接着剤である。
【００１２】
ある実施形態において、凸部を有する強化板を備え、前記凸部は前記人工芝から突出している。
【発明の効果】
【００１３】
本発明の人工芝パネルは、人工芝と保水板を備えている。保水板は、保水性を有しており、複数のチップによって構成されている。保水板に保水された水分が蒸発し、建物の屋上などから熱を奪う。その結果、建物の屋上などの周囲の温度が下がり、建物の屋上などの温度上昇を抑制することができる。
【図面の簡単な説明】
【００１４】
【図１】本発明の実施形態に係る人工芝パネルを示す模式図である。
【図２】本発明の他の実施形態に係る人工芝パネルを示す模式図である。
【発明を実施するための形態】
【００１５】
以下、図面を参照して本発明による人工芝パネルの実施形態を説明する。ただし、本発明は以下の実施形態に限定されない。
【００１６】
［基本構成］
図１は、本発明の実施形態に係る人工芝パネル１００の断面を示す模式図である。人工芝パネル１００は、人工芝１２０と、保水性を有する保水板１１０とを備える。本実施形態において、人工芝パネル１００の大きさは、縦５００ｍｍ×横５００ｍｍである。保水板１１０の厚さは３０〜７０ｍｍ、人工芝１２０の厚さは５〜４０ｍｍである。人工芝パネル１００の重量は２〜１０ｋｇである。
【００１７】
保水板１１０は複数のチップ１１１によって構成されている。複数のチップ１１１は接着剤１１２により互いに接着されている。さらに、人工芝１２０と複数のチップ１１１とは接着剤１１２により接着されている。
【００１８】
複数のチップ１１１の主原料は、木破砕物である。木破砕物は原木または木材を砕いて形成されている。破砕物の樹種は、杉等の針葉樹およびブナやナラ等の広葉樹である。チップ１１１は、切削・粉砕処理用の機械を用いて原木や木材を破砕処理して得られる。従って、チップ１１１の形状やサイズは様々である。破砕の際に切削粒度を調整することにより、チップ１１１の粒度分布を制御することができる。例えば、個々のチップ１１１の大きさは、０．２ｍｍ以下の粉状サイズから、２ｃｍ以上の片状サイズまで含むことができる。
【００１９】
接着剤１１２は、例えば合成樹脂系接着剤であるが、澱粉製の接着剤や膠等の天然接着剤でもあり得る。合成樹脂系接着剤は、熱硬化性樹脂や熱可塑性樹脂を原料とする。接着剤１１２の含有量は、例えば、チップ１１１の１５００重量部〜９０００重量部に対して、接着剤１１２を４０重量部〜４００重量部とする。接着剤１１２は、イソシアネート系の接着剤でもあり得る。イソシアネート系の接着剤は、人体に有害なホルムアルデヒドを含んでいない。従って、人体に対する悪影響を抑制することができる。
【００２０】
人工芝パネル１００については、人工芝１２０の裏全面には接着剤１１２を塗布せずに、複数のチップ１１１に塗布されている接着剤１１２により、人工芝１２０と保水板１１０とを接着している。
【００２１】
保水板１１０は、複数のチップ１１１を接着剤１１２によって互いに固結することで構成されるため、保水板１１０には空隙が形成される。さらに、チップ１１１は原木または木材を原料とするため、セルロース、ヘミセルロース、リグニンといった天然由来の木質構成物質を主として構成される。従って、保水板１１０は保水性がよく、人工芝パネル１００への灌水や自然の降水による水は、保水板１１０中に保水される。さらに空隙中に余分な水が存在する場合でも木材の吸水性によりチップ１１１に吸水されて蓄えられる。また、余分な水が存在する場合は、空隙が連なって形成される水路を通じて排水される。このように、保水板１１０に保水された水分が蒸発し、建物の屋上などから熱を奪う。その結果、建物の屋上などの周囲の温度が下がり、建物の屋上などの温度上昇を抑制することができる。
【００２２】
人工芝１２０は保水板１１０の上に積層されている。人工芝１２０には隙間が開いている。人工芝１２０の隙間から水が流れ込むことにより保水板１１０に保水することができる。保水板１１０の上に人工芝１２０を設けることにより、メンテナンスの手間を少なくすることができる。
【００２３】
なお、人工芝１２０は透水性を有することが好ましい。人工芝１２０が透水性を有する場合、人工芝１２０の全面から水が流れ込むことになり、保水板１１０に効果的に保水することができる。
【００２４】
上述のように、本発明の人工芝パネル１００は、人工芝１２０と保水板１１０とを備えている。保水板１１０は、保水性を有しており、複数のチップ１１１によって構成されている。保水板１１０に保水された水分が蒸発し、建物の屋上などから熱を奪う。その結果、建物の屋上などの周囲の温度が下がり、建物の屋上などの温度上昇を抑制することができる。
【００２５】
［強化板］
図２は、本発明の他の実施形態に係る人工芝パネル２００の断面を示す模式図である。人工芝パネル２００は、強化板２１０を更に有する点を除いて図１を参照して説明した人工芝パネル１００と同様な構成を有するため、重複部分については説明を省略する。
【００２６】
強化板２１０の上には保水板１１０が積層され、保水板１１０の上には人工芝１２０が積層されている。強化板２１０は凸部２１１を有している。強化板２１０の凸部２１１の形状に合わせて、保水板１１０と人工芝１２０とに穴をあけておき、強化板２１０の上に保水板１１０と人工芝１２０とを嵌合させることによって人工芝パネル２００を構成する。人工芝パネル２００において、人工芝１２０から強化板２１０の凸部２１１が突出している。
【００２７】
強化板２１０は、人工芝パネル２００の上を車両や歩行者が通行する際の荷重に耐えられるだけの耐久性を兼ね備える。人工芝パネル２００は、強化板２１０を備えることにより、人工芝パネル２００の強度が増すので、駐車場の温度上昇防止用に好適に用いられる。
【産業上の利用可能性】
【００２８】
本発明の人工芝パネルは、建物の屋上や庭、駐車場などでの温度上昇抑制用に好適に用いられる。
【符号の説明】
【００２９】
１００    人工芝パネル
１１０    保水板
１１１    チップ
１１２    接着剤
１２０    人工芝
２００    人工芝パネル
２１０    強化板
２１１    凸部
【図１】
2014234606.tif 000003
【図２】
2014234606.tif 000004